(57)【要約】【課題】演出体に封入された液体の漏れによる電装基板の損傷を防止する。【解決手段】遊技盤３に液体を内部空間に収容した演出体93を設けた遊技機において、演出体93の下方に電気素子を実装した電装基板96を設けるとともに、演出体93の下部と電装基板96との間に、電装基板96の上方を覆う帯状の保護板97を設ける。  【選択図】  図２
2007082756.tif 000002
【特許請求の範囲】
【請求項１】
遊技盤に液体を内部空間に収容した演出体を設けた遊技機において、
前記演出体の下方に電気素子を実装した電装基板を設けるとともに、前記演出体の下部と前記電装基板との間に、前記電装基板の上方を覆う帯状の保護板を設けたことを特徴とする遊技機。
【請求項２】
演出体を円板状にして遊技盤に回転可能に設けるとともに、保護板を、該演出体の下部外周に沿うように湾曲させて設けたことを特徴とする請求項１記載の遊技機。
【発明の詳細な説明】
【技術分野】
【０００１】
本発明は、遊技盤に液体を内部空間に収容した演出体を設けた遊技機に関する。
【背景技術】
【０００２】
パチンコ機等の遊技機においては、遊技盤に液晶画面等で構成される表示装置及び表示装置の前面に設けられる透明な演出体を備え、ゲームが予め定められた所定の態様になると、演出体をモータの動力により回転させることによって、演出体の内部空間に封入された液体に泡を発生させる等して、ゲームの演出効果を高めるようにしたものがある（例えば、特許文献１参照）。
【特許文献１】特開２００５−１７７３２４号
【発明の開示】
【発明が解決しようとする課題】
【０００３】
上記特許文献１に記載された遊技機は、遊技機を搬送するときの振動や経年変化等による演出体に封入された液体の漏水対策が施されていないため、演出体から漏れた液体が、演出体の下方に設けられた電装基板に付着し、それが原因で電装基板に実装された電気素子が腐食する等し、それが原因で電装基板が損傷して遊技機の作動不良を引き起こすおそれがある。
【０００４】
本発明は、上述のような従来の課題を解決するためになされたもので、演出体に封入された液体の漏れによる電装基板の損傷を防止した遊技機を提供することにある。
【課題を解決するための手段】
【０００５】
本発明によると、上記課題は、次のようにして解決される。
（１）遊技盤に液体を内部空間に収容した演出体を設けた遊技機において、前記演出体の下方に電気素子を実装した電装基板を設けるとともに、前記演出体の下部と前記電装基板との間に、前記電装基板の上方を覆う帯状の保護板を設ける。
【０００６】
（２）上記(１)項において、演出体を円板状にして遊技盤に回転可能に設けるとともに、保護板を、該演出体の下部外周に沿うように湾曲させて設ける。
【発明の効果】
【０００７】
本発明によると、次のような効果を奏することができる。
（ａ）請求項１記載の発明によれば、演出体の下部と電装基板との間に、電装基板の上方を覆う帯状の保護板を設けたことにより、万一、演出体に封入されている液体が漏れても、漏れた液体は保護板により受け止められて、電装基板に付着することはない。これにより、電気素子及び電装基板の損傷を防止することができる。
【０００８】
（ｂ）請求項２記載の発明によれば、保護板を、演出体の下部外周に沿うように湾曲させて設けたことにより、演出体から漏れた液体は左右方向に流れ落ちることが無く、液体を確実に受け止めることができる。
【発明を実施するための最良の形態】
【０００９】
以下、本発明の一実施形態を、図面に基づいて説明する。図１は、本発明の一実施形態を適用した遊技機（パチンコ機）の正面図、図２は、遊技盤の分解斜視図、図３は、演出ユニットの正面図、図４は、演出ユニットを斜め後方から見たその斜視図である。
【００１０】
図１に示すように、遊技機(１)は、外枠(２)に取り付けられる遊技盤(３)を備えている。遊技盤(３)の表面は、外枠(２)に開閉可能に枢着されたガラス枠扉(４)により覆われるとともに、その表面には、外側ガイドレール(５)と内側ガイドレール(６)とによって包囲された円形状の遊技領域(７)が設けられている。また、図２に示すように、遊技盤(３)の裏面側には、合成樹脂製のセット板(８)を介して、演出ユニット(９)が取り付けられる。なお、セット板(８)は、本発明に直接関係しないため、詳細な説明は省略する。
【００１１】
遊技盤(３)の表面には、後述の演出ユニット(９)における液晶表示器等により構成される表示装置(91)の画面に表示される左、中及び右３列の数字、図柄等から構成される複数の識別情報(91a)を視認可能とする正面視矩形の表示窓(12a)を有するセンター役物(12)と、センター役物(12)の真下に配置される図柄始動口(13)と、図柄始動口(13)の真下に配置され、遊技者にとって不利な第１状態（遊技球が入賞不能な状態）と遊技者にとって有利な第２状態（遊技球が入賞可能な状態）とに変化可能な大入賞装置(14)と、遊技球を遊技盤(３)の裏面側に排出するアウト口(15)とが設けられている。
【００１２】
遊技者によりガラス枠扉(４)の右下方に設けられた操作ハンドル(10)が操作されると、遊技領域(７)の下方に設けられた球供給皿(11)に貯留されている遊技球が発射装置（図示略）から遊技領域(７)に打ち込まれることによって、ゲームが行われる。遊技領域(７)に打ち込まれた遊技球が図柄始動口(13)に入球すると、これを契機に表示装置(91)に表示されている識別情報(91a)が、所定の確率に基づいて可変表示した後、所定時間経過後、停止して確定表示される。
【００１３】
確定表示された各識別情報(91a)の組み合わせが、予め定められた表示態様、例えば、「３、３、３」のように同一の数字が揃った場合には、大当り状態を生起させ、大入賞装置(14)を第１の状態から第２の状態に変化させ、遊技者に所定の遊技価値を付与するようになっている。
【００１４】
なお、遊技領域(７)には、遊技釘が多数配置され、遊技球は、遊技釘に当接することにより、遊技領域(７)を転動することになるが、遊技釘は、図面簡素化のため省略してある。
【００１５】
図５は、セット板(８)と演出ユニット(９)とを分離した状態の斜視図、図６は、演出ユニット(９)の分解斜視図である。演出ユニット(９)は、セット板(８)を介して遊技盤(３)の裏面側に固定されるとともに、センター役物(12)の表示窓(12a)に重合する矩形の窓(92a)を形成した合成樹脂製の演出支持フレーム(92)を備えている。
【００１６】
演出支持フレーム(92)には、画面に表示される識別情報(91a)が窓(92a)から視認できるように配置される表示装置(91)と、表示装置(91)の前方において回転可能に支持される演出体をなす円板状の回転体(93)と、回転体(93)を回転し得るようにその外周縁を保持するための左右１対のローラ(95)と、回転体(93)を回転させるための駆動手段(94)と、駆動手段(94)を演出支持フレーム(92)に取り付けるためのモータ支持プレート(943)と、回転体(93)のがた付きを吸収し得るように駆動手段(94)に付勢力を付与する付勢体(99)と、発光ダイオード等が実装された左右の電飾基板(96)と、電飾基板(96)を保護するための合成樹脂製の帯状の保護板(97)と、窓(92a)の周囲に固定される表示枠(921)とがそれぞれの位置に配置される。
【００１７】
セット板(８)の裏面には、表示装置(91)、駆動手段(94)及び電飾基板(96)に制御信号を送信するための演出制御基板(81)と、演出制御基板(81)の制御信号を中継し、その制御信号を電飾基板(96)に送信するための各種コネクタ及び電気素子が実装された左右の中継基板(82)(82)が設けられている。なお、中継基板(82)(82)は、各種部品のレイアウトの都合上、演出支持フレーム(92)、すなわち電飾基板(96)の下方に配置される。
【００１８】
駆動手段(94)は、減速ギヤを内蔵した所謂ギヤードモータ(941)と、その前方を向く出力軸(941a)に固定されるギヤ(942)とを含み、ギヤ(942)が回転体(93)の下半分より上方にある後述の歯部(93a)に噛合する位置、具体的には、回転体(93)の横方向の中心線(Ｘ)（図３参照）より上方に配置されるように、モータ支持プレート(943)を介して、演出支持フレーム(92)の右部の裏面側に取り付けられる。なお、駆動手段(94)のギヤードモータ(941)は、減速ギヤを内蔵していないモータにしても良い。
【００１９】
回転体(93)は、アクリル等の透明な合成樹脂材で成形されて、外周に駆動手段(94)のギヤ(943)に噛合する歯部(93a)が設けられるとともに、外周縁が左右のローラ(95)(95)により保持されることにより、演出支持フレーム(92)の前面中央に前後方向を向く回転軸線回りに回転自在に保持される。したがって、演出ユニット(９)を遊技盤(３)の裏面側に取り付けた形態で、表示装置(91)に表示される識別情報(91a)は、センター役物(12)の表示窓(12a)及び回転体(93)を透して視認することができる。
【００２０】
なお、回転体(93)を支持するためのローラ(95)は、支持フレーム(92)の前面に設けられた前向きの軸部(92b)に、ホルダー(98)によって支持される。また、演出支持フレーム(92)に配置される各種部品は、遊技盤(３)の裏面側に直接する配置することも可能である。
【００２１】
回転体(93)の密閉された内部空間には、透明な液体が収容されている。回転体(93)が所定の方向へ回転すると、回転体(93)の内部に設けられたフィン（図示略）が内部空間内の空気を液体内に進入させることによって、粒状の泡を液体内に放出させるようになっている。
【００２２】
これにより、リーチ状態（３列の識別情報(91a)のうち、２列の識別情報(91a)が同一図柄で確定表示され、残りの１列の識別情報(91a)が、前記２列の識別情報(91a)と同一図柄で確定表示されることにより、大当りの可能性がある状態）がなることを予告させる場合やリーチになった場合、駆動手段(94)のギヤードモータ(941)の動力により回転体(93)を回転させて、回転体(93)内の液体に泡を発生させてセンター役物(12)の表示窓(12a)に泡を出現させるとともに、電飾基板(96)の発光ダイオードを発光させることによって、ゲームの演出効果を高めることができる。
【００２３】
保護板(97)は、透明かつ撓曲可能な合成樹脂板により帯状に形成されるとともに、回転体(93)の下部と電飾基板(96)との間で回転体(93)の下部外周に沿うように、セット板(８)の裏面と演出支持フレーム(92)の前面との間に挾持される。なお、保護板(97)は、後縁に設けられた切欠部(97a)が演出支持フレーム(92)の下部に設けられた突起部(92c)（図６参照）に係合することによって位置決めされる。
【００２４】
上述により、電飾基板(96)及び電飾基板(96)の下方に配置される中継基板(82)の上方は、保護板(97)により覆われることとなる。したがって、万一、回転体(93)の内部空間に封入されている液体が漏れても、漏れた液体は、保護板(97)により受け止められ、電飾基板(96)及び中継基板(82)に付着することはない。これにより、液体の付着によるショート、及び電気素子、基板の腐食を防止することができる。また、保護板(97)が回転体(93)の下部外周に沿うように湾曲した状態で配置されるため、回転体(93)から漏れた液体は左右方向に流れ落ちることが無く、液体を確実に受け止めることができる。
【００２５】
なお、上記実施形態においては、遊技機(１)をパチンコ機としたが、これに代えて、遊技機(１)を、遊技媒体をメダル(コインを含む)とするスロットマシンとしても良い。また、演出体をなす回転体(93)は、必ずしも回転するものに特定されない。
【図面の簡単な説明】
【００２６】
【図１】本発明の一実施形態を適用した遊技機の正面図である。
【図２】遊技盤の分解斜視図である。
【図３】演出ユニットの正面図である。
【図４】演出ユニットを斜め後方から見たその斜視図である。
【図５】セット板と演出ユニットとを分離した状態の斜視図である。
【図６】演出ユニットの分解斜視図である。
【符号の説明】
【００２７】
(１)遊技機
(２)外枠
(３)遊技盤
(４)ガラス枠扉
(５)外側ガイドレール
(６)内側ガイドレール
(７)遊技領域
(８)セット板
(９)演出ユニット
(10)操作ハンドル
(11)球供給皿
(12)センター役物
(12a)表示窓
(13)図柄始動口
(14)大入賞装置
(15)アウト口
(81)演出制御基板
(82)中継基板
(91)表示装置
(91a)識別情報
(92)演出支持フレーム
(92a)窓
(92b)軸部
(92c)突起部
(93)回転体（演出体）
(93a)歯部
(94)駆動手段
(95)ローラ
(96)電飾基板（電装基板）
(97)保護板
(97a)切欠部
(98)ホルダー
(99)付勢体
(921)表示枠
(941)ギヤードモータ（モータ）
(941a)出力軸
(942)ギヤ
(943)モータ支持プレート
【図１】
2007082756.tif 000003
【図２】
2007082756.tif 000004
【図３】
2007082756.tif 000005
【図４】
2007082756.tif 000006
【図５】
2007082756.tif 000007
【図６】
2007082756.tif 000008